(57)【要約】      （修正有）【課題】包装袋をフィルムによる２重構造として粘度の高い食用油が接する内側フィルムと、輸送時に他の包装袋または梱包箱との間で摩擦を起こす外側フィルムとの層間変位作用により内側フィルムの摩擦を低減することができ、ピンホールの発生を好適に防止することができる包装袋入り食用油の製造方法を提供する。【解決手段】包装袋入り食用油の製造方法において、少なくともポリアミド樹脂からなる層を有する外側フィルムと、エチレン−αオレフィン共重合体からなる層を有する内側フィルムとを重ね合わせた２重フィルム３で構成された包装袋に、食用油を所定の充填量に調整して充填し密封する。【選択図】図１
2012030866.tif 000002
【特許請求の範囲】
【請求項１】
包装袋入り食用油の製造方法において、
精製した食用油をローリー配送により充填場所に輸送し、貯蔵タンクへ貯蔵する工程、
少なくともポリアミド樹脂からなる層を有する外側フィルムと、エチレン−αオレフィン共重合体からなる層を有する内側フィルムと、を重ね合わせた２重フィルムを巻きロールより供給する工程、
巻きロールから供給される２重フィルムを、充填ローダの外周に配置されたセーラーを通過させて円筒状に整形し、縦方向の重合部を熱シールする工程、
円筒状の２重フィルム内に貯蔵タンクから充填ローダを介して食用油を連続的に供給するとともに、所定の間隔で一対の扱き手段を開閉させることで空気を巻き込まないように所定の充填量に調整した状態で横シールにより食用油を密封する工程、
を有することを特徴とする包装袋入り食用油の製造方法。
【請求項２】
食用油の充填量が１．５Ｋｇ以上１０Ｋｇ以下であることを特徴とする請求項１記載の包装袋入り食用油の製造方法。
【請求項３】
食用油の２０℃における粘度が２０ｍＰａｓ以上であることを特徴とする請求項１または２記載の包装袋入り食用油の製造方法。
【請求項４】
充填ローダの先端は充填される食用油の界面より露出しないことを特徴とする請求項１記載の包装袋入り食用油の製造方法。
【発明の詳細な説明】
【技術分野】
【０００１】
本発明は、少なくともポリアミド樹脂からなる層を有する外側フィルムと、エチレン−αオレフィン共重合体からなる層を有する内側フィルムとを重ね合わせた２重フィルムの包装袋に食用油を充填し密封した包装袋入り食用油の製造方法に関するものである。
【背景技術】
【０００２】
プラスチックフィルムからなる柔軟な包装袋は、他の物体の突き当たりや突き刺し、包装袋自体の屈曲や他の包装袋との摩擦などによりピンホールが生じやすいため、フィルムの厚さを厚くしたり、フィルムの層構成を適宜ポリエステルフィルムと延伸ポリアミドまたは延伸ポリプロピレンなどをラミネートした多層フィルムとすることでピンホールの発生を防止することが試みられてきた（特開２００８−４４６２４号公報、特開２００７−２８４１０５号公報参照）。
【先行技術文献】
【特許文献】
【０００３】
【特許文献１】特開２００８−４４６２４号公報
【特許文献２】特開２００７−２８４１０５号公報
【発明の概要】
【発明が解決しようとする課題】
【０００４】
しかしながら、食用油は粘度の高い液体であり、水やアルコール、重油、軽油等の粘度の低い液体またはマヨネーズ、ケチャップ等の粘稠物と比べ柔軟な包装袋に充填して輸送する場合には、他の包装袋の外面または梱包箱との摩擦が過度に生じるため、ピンホールが発生しやすく、柔軟な包装袋での輸送は困難であった。
特に、梱包箱に食用油が充填された大型の包装袋を複数積み重ねて集積梱包する場合には、摩擦によるピンホールの発生が顕著であり、従来から試みられてきたフィルムの厚さまたは層構成によっては解決することができないのが実情であった。
【０００５】
そこで本発明は、少なくともポリアミド樹脂からなる層を有する外側フィルムと、エチレン−αオレフィン共重合体からなる層を有する内側フィルムとを重ね合わせた２重フィルムを円筒状に整形して縦方向の重合部を熱シールし、円筒状の２重フィルム内に食用油を供給して、所定の充填量に調整した状態で横シールにより食用油を密封することにより、包装袋をフィルムによる２重構造として粘度の高い食用油が接する内側フィルムと、輸送時に他の包装袋または梱包箱との間で摩擦を起こす外側フィルムとの層間変位作用により内側フィルムの摩擦を低減することができ、ピンホールの発生を好適に防止することができるとともに、特に連続供給される食用油を扱き手段により所定の充填量に調整して空気を巻き込まずに密封することができるため、輸送に便利なように包装袋を横置きで積み重ねた場合であっても包装袋に折れ目（包装袋の屈曲）が生ぜず、ピンホールの発生を防止することができる包装袋入り食用油の製造方法を提供すること目的とするものである。
【課題を解決するための手段】
【０００６】
本発明は、前記目的を達成するため請求項１記載の包装袋入り食用油の製造方法を提案する。
すなわちその包装袋入り食用油の製造方法は、
包装袋入り食用油の製造方法において、
精製した食用油をローリー配送により充填場所に輸送し、貯蔵タンクへ貯蔵する工程、
少なくともポリアミド樹脂からなる層を有する外側フィルムと、エチレン−αオレフィン共重合体からなる層を有する内側フィルムと、を重ね合わせた２重フィルムを巻きロールより供給する工程、
巻きロールから供給される２重フィルムを、充填ローダの外周に配置されたセーラーを通過させて円筒状に整形し、縦方向の重合部を熱シールする工程、
円筒状の２重フィルム内に貯蔵タンクから充填ローダを介して食用油を連続的に供給するとともに、所定の間隔で一対の扱き手段を開閉させることで空気を巻き込まないように所定の充填量に調整した状態で横シールにより食用油を密封する工程、
を有することを特徴とするものである。
【０００７】
そして、本発明に係る包装袋入り食用油の製造方法においては、食用油の充填量が１．５Ｋｇ以上１０Ｋｇ以下であること、食用油の２０℃における粘度が２０ｍＰａｓ以上であること、および充填ローダの先端は充填される食用油の界面より露出しないことが好適である。
【発明の効果】
【０００８】
本発明によれば、食用油を充填し密封する包装袋をフィルムによる２重構造として粘度の高い食用油が接する内側フィルムと、輸送時に他の包装袋または梱包箱との間で摩擦を起こす外側フィルムとの層間変位作用により内側フィルムの摩擦を低減することができ、ピンホールの発生を好適に防止することができるとともに、特に連続供給される食用油を扱き手段により所定の充填量に調整して空気を巻き込まずに密封することができるため、輸送に便利なように包装袋を横置きで積み重ねた場合であっても包装袋に折れ目（包装袋の屈曲）が生ぜず、ピンホールの発生を防止することができる効果が得られるものである。
【図面の簡単な説明】
【０００９】
【図１】本発明の包装袋入り食用油の製造方法の実施体系図である。
【図２】図１に示す実施体系の工程図である。
【図３】図１に示す実施体系の構成斜視図である。
【図４】図２に示す構成の一部詳細斜視図および細線円内の拡大図である。
【図５】図２に示す構成の他の一部詳細斜視図である。
【図６】図１に示す実施体系により製造された包装袋入り食用油の全体斜視図である。
【図７】図６のＡ−Ａ線断面図である。
【発明を実施するための形態】
【００１０】
本発明に係る包装袋入り食用油としては、精選、抽出、精製の工程を経た１種または２種以上の油種を混合したものであって、食用サフラワー油、大豆油、ひまわり油、ニガー油、とうもろこし油、棉実油、ごま油、菜種油、米油、ガーリック油、落花生油、オリーブ油、パーム油、パームオレイン、パームステアリン、パーム核油、やし油といわれるもので、これらを組み合わせ調合した調合油である。
【００１１】
このように、精選、抽出、精製の各工程を経ることにより製造された食用油は、タンクローリー１などの輸送手段を使って充填場所に運ばれ、貯蔵タンク２（例えば容量１０〜５０トン）に貯蔵される。そして、貯蔵タンク２に貯蔵された食用油は、外側フィルムと内側フィルムとを重ね合わせた２重フィルム３でなる包装袋４に充填し密封して包装袋入り食用油４が製造される。
【００１２】
すなわち、貯蔵タンク２に貯蔵された食用油は充填ローダ５に供給される。一方、包装袋を構成する２重フィルム３は、その巻きロール６から供給されるが、この２重フィルム３の包装袋の外側となる外側フィルム３ａは、少なくともポリアミド樹脂からなる層を有し、かつ内側となる内側フィルム３ｂは、エチレン−αオレフィン共重合体からなる層を有しており、これら外側フィルム３ａと内側フィルム３ｂとは層間が接着されずに重ね合わせて２重になった２重フィルム３を構成しているものである。
【００１３】
巻きロール６から供給される２重フィルム３は、充填ローダ５の外周を取り巻く整形筒であるセーラー７を介して円筒状に整形され、順次上方から下方にかけて連続して移動されるが、その移動過程において２重フィルム３の縦方向の重合部が縦シール板８によって加熱して縦シールされて連続した筒状となる。９は一対の幅規制板である。
【００１４】
次に一対の扱きロール１０により下方に送られるとともに、この一対の扱きロール１０が、筒状の２重フィルム３の下端を閉塞した状態で充填ローダ５より供給された食用油が充填され、その下端において食用油を扱いて閉塞された部分を、一対の横シール板１１によって加熱して横シールされる。このように、連続状に連なる筒状の２重フィルム３は順次下方に移動し、一対の横シール兼カッタ１２によって切り離され、食用油の充填された偏平な袋入り食用油４となる。上記円筒状の２重フィルム３内に貯蔵タンク１から充填ローダ５を介して連続的に供給する食用油は、所定の間隔で一対の扱きロール１０を開閉させることで空気を巻き込まないように所定の充填量に調整した状態で横シールにより密封される。このため、充填ローダ５の先端は充填される食用油の界面より露出しないことが好ましい。包装袋入り食用油４において１２は縦シール部、１３は横シール部である。
【００１５】
前記のように製造された包装袋入り食用油４は、例えばコンベヤで移送され、順次外装容器に収容される。ここで収容に際しては、外装容器に仕切板を使用することなく、包装袋入り食用油４をその縦シール部１２が略水平位置となるように横置き状態にし、複数段積み重ねて積載する。そして、横方向にも同様に並列配置する。このように横置きされた複数の包装袋入り食用油４は、相互の間隙や外装容器との間の間隙を均一に埋めるように作用する。このため集積包装体として空隙が極めて少なく、しかも均一な積載収納が可能となる。特に食用油が持つ粘性の範囲〔２０℃における粘度が２０ｍＰａｓ以上、好ましくは４５〜９０ｍＰａｓ〕においては上記の作用が顕著である。外装容器に積載収納された包装袋入り食用油４はトラック等により食品製造工場や、食堂、レストラン、ホテル等の各店舗である消費場所に移送される。消費場所において、外装容器を開封して包装袋入り食用油４を取り出し、包装袋の角部を開封して食用油を注出して使用する。
【００１６】
本発明により製造される包装袋入り食用油４は、外側フィルム３ａと内側フィルム３ｂとの層間が接着されずに重ね合わせて２重になった２重フィルム３で構成されるので、充填されている食用油に接する包装袋の内側フィルム３ｂが粘度の高い食用油により部分的変形が抑えられた状態であっても、その内側フィルム３ｂを覆っている外側フィルム３ａが内側フィルム３ｂと接しているだけであるから、外側フィルム３ａが他の物体等により摩擦を受けた際には、外側フィルム３ａのその部分と内側フィルム３ｂとの層間に滑りによる層間変位が生じて外側フィルム３ａが受ける摩擦等の影響が内側フィルム３ｂに波及するのが極力抑制される。このため、輸送時に他の包装袋または梱包箱との間で摩擦を起こす外側フィルム３ａとの層間変位作用により内側フィルム３ｂの摩擦を低減することができ、ピンホールの発生を効果的に防止することができる。
【００１７】
本発明においては、前記作用を一段と効果的に達成するうえで２重フィルム３の外側フィルム３ａと内側フィルム３ｂをそれぞれ各シール部において、２重フィルム３の縦方向の重合部および横方向の重合部が溶着されるとともに、外側フィルム３ａと内側フィルム３ｂの接触面が溶着されるような性質を備えたものとするのが好適である。すなわち、具体的にはチューブラー方式により共押出しされた内層および外層がエチレン−αオレフィン共重合体で中間層が延伸ポリアミドからなる多層の筒状フィルムを折り畳んだものが好適に用いられる。
【実施例】
【００１８】
図１に示す実施体系により、縦４００ｍｍ、横２５０ｍｍ、横シール幅１５ｍｍ、縦シール幅１５ｍｍの包装袋入り食用油４を製造した。その包装袋は外側フィルム３ａと内側フィルム３ｂを重ね合わせて２重になった２重フィルム３で構成されているが、チューブラー方式により筒状に押し出した多層のフィルムを平坦に押し潰して重ね合わされた一方のフィルムを外側フィルム３ａとし、他方のフィルムを内側フィルム３ｂとしたものである。この場合、一方のフィルムの外側フィルム３ａと他方のフィルムの内側フィルム３ｂとは両端部において連続した状態で折り曲げられた状態となっている。外側フィルム３ａはポリアミド樹脂からなる層を有するものであり、内側フィルム３ｂはエチレン−αオレフィン共重合体からなる層を有するものであるが、この場合、外側フィルム３ａと内側フィルム３ｂは同一の層構成となるため、外側フィルム３ａおよび内側フィルム３ｂともに内外層をエチレン−αオレフィン共重合体とし、中間層を延伸ポリアミド等とすることが好ましい。なお、別個に押出しされた外側フィルム３ａと内側フィルム３ｂを重ね合わせて同様にして包装袋入り食用油４を製造することも可能である。外側フィルム３ａおよび内側フィルム３ｂの厚みはそれぞれ１２〜１５μｍである。
そして、包装袋には２０℃における粘度が２０ｍＰａｓ以上の食用油を１．５Ｋｇ以上１０Ｋｇ以下となるように充填した。なお、縦シール部１３および横シール部１４の溶着強度は高く設定することが好ましい。
【符号の説明】
【００１９】
１  タンクローリー
２  貯蔵タンク
３  ２重フィルム
３ａ  外側フィルム
３ｂ  内側フィルム
４  包装袋入り食用油
５  充填ローダ
６  巻きロール
７  セーラー
８  縦シール板
９  幅規制板
１０  扱きロール
１１  横シール板
１２  横シール兼カッタ
１３  縦シール部
１４  横シール部
【図１】
2012030866.tif 000003
【図２】
2012030866.tif 000004
【図３】
2012030866.tif 000005
【図４】
2012030866.tif 000006
【図５】
2012030866.tif 000007
【図６】
2012030866.tif 000008
【図７】
2012030866.tif 000009